(57)【特許請求の範囲】
【請求項１】
天板と底板とを有するフロアパネルと、取付ベースから立設された軸部の上端にフロアパネルの角部を支持するパネル受け部が設けられた支持具とを備えているフロアパネルの支持構造において、支持具のパネル受け部は、略平板状をなす鋼板ベースと、嵌合突部を有すると共に鋼板ベースに被着される樹脂カバーとで構成され、フロアパネルの底板の角部に上記嵌合突部に嵌合する嵌合孔を設け、上記鋼板ベースは、上記軸部に設けた高さ調整用ボルトの上端部に取り付けられ、上記樹脂カバーの中央には開口孔を有する中央凸部が設けられ、フロアパネルの嵌合孔と樹脂カバーの嵌合突起との嵌合状態で樹脂カバーの開口孔を挿通して高さ調整用ボルトの上端部内側に形成された雌ネジに締め付けられる締め付けボルトを備えると共に、上記締め付けボルトによる締め付け状態でパネル受け部に載置したフロアパネルの角部を樹脂カバーの中央凸部上に押圧するためのロック部材を備えて成ることを特徴とするフロアパネルの支持構造。
【請求項２】
フロアパネルの天板の嵌合孔と対向する位置に、嵌合確認用の開口部を設けたことを特徴とする請求項１記載のフロアパネルの支持構造。
【請求項３】
支持具の嵌合突部の上端部に、嵌合突部を嵌合孔に誘導するための誘導傾斜部を設けたことを特徴とする請求項１又は請求項２記載のフロアパネルの支持構造。
【請求項４】
パネル受け部の鋼板ベースに、その中心部に向かって下り傾斜した凹状の絞り部を形成したことを特徴とする請求項１記載のフロアパネルの支持構造。
【請求項５】
パネル受け部の鋼板ベースと樹脂カバーとに、鋼板ベースに対する樹脂カバーの回転を止めるための凹凸嵌合部を設けてなることを特徴とする請求項１又は請求項４記載のフロアパネルの支持構造。
【発明の詳細な説明】
【０００１】
【発明の属する技術分野】
本発明は、フロアパネルの支持構造に関し、詳しくは二重床のフロアパネルシステムに関するものである。
【０００２】
【従来の技術】
二重床のフロアパネルシステムは、オフィスビル内の事務所とか、ビル内のコンピュータ配線システムなどに多く採用されており、オフィス等における電力、電話、データの量が今後ますます多量化する時代を迎え、必要不可欠となる。またオフィスの頻繁なレイアウト変更にフレキシブルに対応していくために非常に有用なものである。
【０００３】
上記二重床のフロアパネル１を施工するにあたっては、図８、図９に示すように、床スラブのような床下地２５から支持具７’を立設し、天板２と底板３とを有するフロアパネル１の角部１ａを、支持具７’の上端部に設けたパネル受け部６’で支持するようにしている。従来の支持具７’は、取付ベース４から立設されている軸部５’を構成する支柱ボルト５５に、パネル受け部６’に取り付けたナット部３１を螺合させている。パネル受け部６’は、強度確保のために、アルミダイカスト等の高コスト材料を用いて構成されている。このパネル受け部６’の上面の４箇所には、フロアパネル１の角部１ａを載置する支持凸部５０が突設されており、支持凸部５０相互間の４箇所には、フロアパネル１の底板３の立ち上がり部１７の角部が挿入される凹部５１がそれぞれ凹設されている。これにより、前後左右に隣接する４枚のフロアパネル１の各角部１ａを１本の支持具７’のパネル受け部６’にて支持されるようになっている。さらにパネル受け部６’にロック部材２１’の雄ネジを螺合することによって、フロアパネル１の角部１ａがパネル受け部６’に固定されるようになっている。なお、パネル受け部６’の高さ調整を行うにあたっては、パネル受け部６’を回転操作させて、パネル受け部６’のナット部３１を支柱ボルト５５に沿って上下方向に移動させ、高さ調整後に締め付けレバー３０を締め付けることで、パネル受け部６’をその高さ位置で固定できるようにしている。なお図９中の５６はタイルカーペットである。
【０００４】
【発明が解決しようとする課題】
ところで、従来ではパネル受け部６’をアルミダイカスト製としているため、パネル受け部６’の４箇所に設けられる凹部５１を、平面視で厳密な直角に形成することは困難であり、実際には凹部５１は図８（ａ）に示すように丸みを有しており、そのため、フロアパネル１の底板３の立ち上がり部１７を凹部５１に挿入しても図８（ｃ）の矢印イで示す方向にフロアパネル１が横ずれしやすくなって、フロアパネル１の位置決めができず、この結果、フロアパネル１の設置作業が困難になるうえに、フロアパネル１の横ずれによって隣接するフロアパネル１間の隙間が大きくなったり、逆に、隣接するフロアパネル１同士が互いに接近しすぎて擦れ音が発生するといった問題があり、さらに、凹部５１は支持凸部５０間の狭いスペースに設けられているために、パネル受け部６’によるフロアパネル１の支持面積が小さくなって、フロアパネル１上からの耐荷重性能が劣化し、歩行感が悪くなるといった問題もある。
【０００５】
本発明は、上記の従来例の問題点に鑑みて発明したものであって、その目的とするところは、フロアパネルの設置が簡単になり、しかも、隣接するフロアパネル間の隙間を一定に確保でき、従来のようなフロアパネル同士の擦れ音の発生を防止できると共に、安定した耐荷重性能を十分に発揮できるフロアパネルの支持構造を提供するにあり、他の目的とするところは、パネル受け部の耐荷重性能を確保しつつ、パネル受け部の材料コストの低減を実現できるフロアパネルの支持構造を提供するにある。
【０００６】
【課題を解決するための手段】
上記課題を解決するために本発明にあっては、天板２と底板３とを有するフロアパネル１と、取付ベース４から立設された軸部５の上端にフロアパネル１の角部１ａを支持するパネル受け部６が設けられた支持具７とを備えているフロアパネルの支持構造において、支持具のパネル受け部は、略平板状をなす鋼板ベース１２と、嵌合突部８を有すると共に鋼板ベース１２に被着される樹脂カバー１３とで構成され、フロアパネル１の底板３の角部３ａに上記嵌合突部８に嵌合する嵌合孔９を設け、上記鋼板ベース１２は、上記軸部５に設けた高さ調整用ボルト２７の上端部に取り付けられ、上記樹脂カバー１３の中央には開口孔４０を有する中央凸部２２が設けられ、フロアパネル１の嵌合孔９と樹脂カバー１３の嵌合突起８との嵌合状態で樹脂カバー１３の開口孔４０を挿通して高さ調整用ボルト２７の上端部内側に形成された雌ネジ２９に締め付けられる締め付けボルト２３を備えると共に、上記締め付けボルト２３による締め付け状態でパネル受け部６に載置したフロアパネル１の角部１ａを樹脂カバー１３の中央凸部２２上に押圧するためのロック部材２１を備えて成ることを特徴としており、このように構成することで、フロアパネル１の角部１ａを支持具７のパネル受け部６に設置した際に、嵌合突部８と嵌合孔９の嵌合によって、支持具７に対するフロアパネル１の位置決めが容易に且つ確実にでき、フロアパネル１の設置が簡単になり、さらに、隣接するフロアパネル１間の隙間を一定に確保できるので、従来のように隣接するフロアパネル１間の隙間が大きくなったり、逆に、隣接するフロアパネル１同士が互いに接近しすぎて擦れ音が発生するといった問題もなくなる。
また上記支持具７のパネル受け部６は、略平板状をなす鋼板ベース１２と、嵌合突部８を有すると共に鋼板ベース１２に被着される樹脂カバー１３とで構成されているので、従来のダイカスト製のパネル受け部と比較して、材料コストを低減できると共に、鋼板ベース１２によって耐荷重性能を確保できるようになる。
また、フロアパネル１の角部１ａが支持具７の中央凸部２２上に載置された状態で、締め付けボルト２３を樹脂カバー１３の開口部４０を挿通して、その下端部を高さ調整用ボルト２７の雌ネジ２９に螺合し、締め付けボルト２３を締め付けることで、ロック部材２１により支持具７のパネル受け部６に載置したフロアパネル１の角部１ａの先端が押圧されて、フロアパネル１の角部１ａを固定できるようになる。
【０００７】
また上記フロアパネル１の天板２の嵌合孔９と対向する位置に、嵌合確認用の開口部１０を設けるのが好ましく、この場合、パネル受け部６にフロアパネル１を設置する際に、フロアパネル１の上方から、天板２に設けた開口部１０を介して嵌合突部８と嵌合孔９との嵌合状態を目で容易に確認できるようになる。
【０００８】
また上記支持具７の嵌合突部８の上端部に、嵌合突部８を嵌合孔９に誘導するための誘導傾斜部１１を設けるのが好ましく、この場合、嵌合突部８を嵌合孔９に嵌合する作業がスムーズとなる。
【０００９】
また上記支持具７のパネル受け部６は、略平板状をなす鋼板ベース１２と、嵌合突部８を有すると共に鋼板ベース１２に被着される樹脂カバー１３とで構成されているのが好ましく、この場合、従来のダイカスト製のパネル受け部と比較して、材料コストを低減できると共に、鋼板ベース１２によって耐荷重性能を確保できるようになる。
【００１０】
また上記パネル受け部６の鋼板ベース１２に、その中心部に向かって下り傾斜した凹状の絞り部１２ａを形成するのが好ましく、この場合、鋼板ベース１２をフロアパネル１上部からの荷重に対して強い構造とすることができる。
【００１１】
また上記パネル受け部６の鋼板ベース１２と樹脂カバー１３とに、鋼板ベース１２に対する樹脂カバー１３の回転を止めるための凹凸嵌合部３５を設けてなるのが好ましく、この場合、樹脂カバー１３と鋼板ベース１２とを互いに動かないようにして容易に組み立てることができる。
【００１２】
【発明の実施の形態】
以下、本発明を添付図面に示す実施形態に基づいて説明する。
【００１３】
本実施形態のフロアパネル１は、図４に示すように、天板２と底板３との二重構造を有している。底板３の複数箇所には、天板２の下面に向かって断面逆Ｕ字状に湾曲した湾曲部１６が形成されており、各湾曲部１６の頂部１６ａが天板２の下面の複数箇所にそれぞれカシメによって固着一体化されている。
【００１４】
フロアパネル１の底板３には、その底面部３ｂの外周部に沿って立ち上がり部１７が立設されていると共に、立ち上がり部１７の上端部には外側方に向かって先端が段落ちしたフランジ部１８が突設されている。一方、天板２の外周部には先端が段落ちしたフランジ部１９が突設されており、両フランジ部１８，１９がカシメによって固着一体化されている。さらに、フロアパネル１の４つの角部１ａには、それぞれ、フランジ部１８，１９の先端部分を切欠くようにして、平面視略円弧状をした切欠部２０が切欠形成されており、この切欠部２０を有するフロアパネル１の角部１ａの先端部が前記支持具７の中央凸部２２上に載置され、ロック部材２１により押さえられて固定されるようになっている。
【００１５】
上記フロアパネル１を支持する支持具７は、図１〜図３、図６に示すように、床スラブのような床下地２５に載設される取付ベース４と、取付ベース４から立設された軸部５と、軸部５の上端に形成されたパネル受け部６とで構成されている。
【００１６】
ここで、上記軸部５は、図１に示すように、取付ベース４から立設した高ナット２６と、高ナット２６に螺合する高さ調整用ボルト２７とで主体が構成されている。高さ調整用ボルト２７の下部の雄ネジ部２８は高ナット２６に螺合していると共に、高さ調整用ボルト２７の高ナット２６よりも上方位置における雄ネジ部２８には、締め付けレバー３０付きナット３１が螺合しており、締め付けレバー３０を回転操作してナット３１を高ナット２６の上端面に当接するまで締め付けることによって、高さ調整用ボルト２７をロックできるようになっている。また、高さ調整用ボルト２７の上端部の外周部には、断面略コ字状をしたカシメ部３２が突設されており、このカシメ部３２内に後述する鋼板ベース１２の中央開口４５の内端部を挿入してカシメることによって、高さ調整用ボルト２７の上端部に鋼板ベース１２が取り付けられる。また高さ調整用ボルト２７の上端部の内側には雌ネジ２９が形成されており、雌ネジ２９の一端が高さ調整用ボルト２７の上端面に開口している。
【００１７】
パネル受け部６は、図１（ｂ）に示すように、略平板状の鋼板ベース１２と、鋼板ベース１２の上面に被着される樹脂カバー１３とで構成されている。
【００１８】
樹脂カバー１３の中央には、上方に向けて断面略Ｕ字状をした中央凸部２２が突設されている。中央凸部２２の中央上面には、ロック部材２１の外径よりもやや小径の開口孔４０が設けられており、開口孔４０周辺の上面部がフロアパネル１の角部１ａの載置面となっている。そして、開口孔４０を通して高さ調整用ボルト２７の雌ネジ２９の位置が視認できるようにしてあり、これによって締め付けボルト２３を雌ネジ２９に螺合する作業の容易化が図られている。
【００１９】
樹脂カバー１３の上面の４箇所には、上方に向かって嵌合突部８がそれぞれ突設されている。一方、フロアパネル１の底板３の底面部３ｂの４つの角部には、それぞれ嵌合孔９が形成されており、嵌合孔９の内部に支持具７の嵌合突部８が嵌合可能となっている。そして図５に示すように、４枚のフロアパネル１の各１つの角部１ａを樹脂カバー１３の４箇所に設けた嵌合突部８に個別に嵌合することで、パネル受け部６に対してフロアパネル１の各角部１ａを位置決めできるようになっている。なお図５の例では、嵌合突部８及び嵌合孔９はそれぞれ平面視円形状に形成されていると共に、嵌合突部８の外径を嵌合孔９の内径よりも若干小さくしてある。これら嵌合突部８と嵌合孔９は、パネル受け部６に対してフロアパネル１の角部１ａを位置決めする働きをする。なお、嵌合突部８及び嵌合孔９の平面視形状は、円形には限らず、例えば楕円形状、三角形状、四角形状、或いは多角形状などであってもよく、特に限定されないものである。
【００２０】
さらに、天板２における嵌合孔９の真上位置には、嵌合孔９よりも小径の嵌合確認用の開口部１０が設けられており、フロアパネル１の上方から開口部１０を通して嵌合孔９と嵌合突部８との嵌合状態を視認できるようにしてある。
【００２１】
また本例では、上記嵌合突部８と嵌合孔９との嵌合をスムーズに行うために、図４（ｂ）に示すように、嵌合孔９の外周側に底板３からフロアパネル１内部に向けて折り曲げられた円筒状の折り曲げ部１７が立設され、この折り曲げ部１７の内面に沿って嵌合突部８が挿入されるようになっている。また、嵌合突部８の上端部には嵌合突部８を嵌合孔９に誘導するための誘導傾斜部１１が設けられている。誘導傾斜部１１は上方になる程、嵌合突部８の中心側に向かって傾斜しており、この誘導傾斜部１１に沿って嵌合突部８が嵌合孔９内にスムーズに誘導されるようになっている。
【００２２】
また、パネル受け部６の耐荷重性能を確保するために、図１（ｂ）に示す例では、上記樹脂カバー１３を鋼板ベース１２上に被着してある。鋼板ベース１２には、その中心部に向かって下り傾斜した凹状の絞り部１２ａが形成してあり、この絞り部１２ａによって鋼板ベース１２はフロアパネル１上部からの荷重に対して強い構造となっている。なお樹脂カバー１３の上面の嵌合突部８及び中央凸部２２を除く部分は、平坦部４１となっており、この平坦部４１の下面が鋼板ベース１２の上面に載置されて支持されている。ここで、パネル受け部６の回転操作によって床下地２５の不陸に対する高さ調整を行うにあたって、樹脂カバー１３が空回りするのを防止するために、鋼板ベース１２と樹脂カバー１３との間には凹凸嵌合部３５が設けられている。図１（ｂ）に示す例では、凹凸嵌合部３５は、樹脂カバー１３の下面の複数箇所（例えば、２箇所）から垂設した凸状部１４と、鋼板ベース１２に形成された凹状部１５とからなり、凸状部１４を凹状部１５に嵌合させることによって、鋼板ベース１２に対する樹脂カバー１３の空回りを防止している。なお凹凸嵌合部３５の他例として図７に示すように、樹脂カバー１３の下面の両側２箇所に凸状部１４と、鋼板ベース１２の２箇所に設けられる開口孔形状の凹状部１５とで構成してもよいものである。
【００２３】
しかして、前後左右に隣接する４枚のフロアパネル１の各角部１ａにそれぞれ設けた嵌合孔９に、パネル受け部６の４箇所に設けた嵌合突部８を各々嵌合させることによって、４枚のフロアパネル１の各角部１ａをパネル受け部６に対してそれぞれ位置決めでき、フロアパネル１の設置を簡単に行うことができるようになる。このとき、フロアパネル１の嵌合孔９の大きさをパネル受け部６の嵌合突部８の大きさよりも若干大きくし、かつ、嵌合突部８の上端部に誘導のための誘導傾斜部１１を設けてあるので、嵌合突部８を嵌合孔９にスムーズ且つ容易に嵌合させることができると共に、フロアパネル１の上方から天板２に設けた嵌合確認用の開口部１０を通して、嵌合突部８と嵌合孔９との嵌合状態を目で確認できるようになるので、フロアパネル１が設置しやすくなり、作業が一層はかどる。そのうえ、嵌合突部８と嵌合孔９との嵌合によって隣接するフロアパネル１間の隙間Ｇを一定に確保でき、従来のように隣接するフロアパネル間の隙間が大きくなったり、逆に、隣接するフロアパネル同士が互いに接近しすぎて擦れ音が発生するといった問題をなくすことができるものであり、さらに、パネル受け部６の平坦部４１のスペースを大きくすることによって、パネル受け部６によるフロアパネル１の支持面積を大きく確保でき、安定した耐荷重性能を十分に発揮できるようになり、歩行感の向上につながるものである。
【００２４】
さらに、上記のように４枚のフロアパネル１の各角部１ａ先端の略円弧状をした切欠部２０により円孔が形成されることになるので、この円孔からロック部材２１の締め付けボルト２３を挿入し、締め付けボルト２３を樹脂カバー１３の開口部４０を挿通して、その下端部を高さ調整用ボルト２７の雌ネジ２９に螺合し、締め付けボルト２３を締め付けることで、ロック部材２１により支持具７のパネル受け部６に載置した４枚のフロアパネル１の各角部１ａの先端が押圧されて、４枚のフロアパネル１の各角部１ａを固定できるようになる。
【００２５】
また、支持具７のパネル受け部６を、鋼板ベース１２と、嵌合突部８を有する樹脂カバー１３とで構成したので、従来のアルミダイカスト製のパネル受け部と比較して、本実施形態のパネル受け部６を鋼板ベース１２と樹脂カバー１３のそれぞれ低廉な材料で形成できるうえに、鋼板ベース１２で荷重を受け止めることによって、耐荷重性能を十分に発揮しながら、製品の低コスト化を実現することができる。しかも、鋼板ベース１２の中心部に凹状の絞り部１２ａを設けてあるので、鋼板ベース１２がフロアパネル１上部からの荷重に対して一層強い構造となり、鋼板ベース１２の耐荷重性能を一段と向上させることができる。
【００２６】
さらに、パネル受け部６の鋼板ベース１２と樹脂カバー１３との間に、鋼板ベース１２に対する樹脂カバー１３の回転を止めるための凹凸嵌合部３５を設けてあるので、樹脂カバー１３と鋼板ベース１２とを組み立てて、パネル受け部６を簡単に構成できるようになると共に、パネル受け部６を回転させて高さ調整を行うにあたって、樹脂カバー１３が鋼板ベース１２に対して空回りすることがないので、高ナット２６に対するパネル受け部６の高さ調整を行う際に、樹脂カバー１３を回転操作するだけでよく、高さ調整作業が容易となる。
【００２７】
【発明の効果】
上述のように本発明のうち請求項１記載の発明にあっては、天板と底板とを有するフロアパネルと、取付ベースから立設された軸部の上端にフロアパネルの角部を支持するパネル受け部が設けられた支持具とを備えているフロアパネルの支持構造において、支持具のパネル受け部に嵌合突部を設けると共に、フロアパネルの底板の角部に上記嵌合突部に嵌合する嵌合孔を設けて成るので、フロアパネルの角部を支持具のパネル受け部に設置した際に、嵌合突部と嵌合孔の嵌合によって、支持具に対するフロアパネルの位置決めができ、フロアパネルの設置を簡単に行うことができるうえに、隣接するフロアパネル間の隙間を一定に確保でき、従来のように隣接するフロアパネル間の隙間が大きくなったり、逆に、隣接するフロアパネル同士が互いに接近しすぎて擦れ音が発生するといった問題をなくすことができ、安定した耐荷重性能を十分に発揮できる結果、歩行感の向上につながるものである。また、支持具のパネル受け部は、略平板状をなす鋼板ベースと、嵌合突部を有すると共に鋼板ベースに被着される樹脂カバーとで構成されているので、従来のダイカスト製のパネル受け部と比較して、材料コストの低減を図りつつ、鋼板ベースによって耐荷重性能を確保できるものである。さらに、フロアパネルの角部が支持具の中央凸部上に載置された状態で、締め付けボルトを樹脂カバーの開口部を挿通して、その下端部を高さ調整用ボルトの雌ネジに螺合し、締め付けボルトを締め付けることで、ロック部材により支持具のパネル受け部に載置したフロアパネルの角部の先端が押圧されて、フロアパネルの角部を固定できるものである。
【００２８】
また請求項２記載の発明は、請求項１記載の効果に加えて、フロアパネルの天板の嵌合孔と対向する位置に、嵌合確認用の開口部を設けたので、パネル受け部にフロアパネルを設置する際に、フロアパネルの上方から、天板に設けた嵌合確認用の開口部を介して嵌合突部と嵌合孔との嵌合状態を目で確認できるようになるので、フロアパネルが設置しやすくなり、作業が一層はかどる。
【００２９】
また請求項３記載の発明は、請求項１又は請求項２記載の効果に加えて、支持具の嵌合突部の上端部に、嵌合突部を嵌合孔に誘導するための誘導傾斜部を設けたので、嵌合突部を嵌合孔にスムーズ且つ容易に嵌合させることができ、フロアパネルの位置決め作業がきわめて容易となり、施工性が向上する。
【００３１】
また請求項４記載の発明は、請求項１記載の効果に加えて、パネル受け部の鋼板ベースに、その中心部に向かって下り傾斜した凹状の絞り部を形成したので、鋼板ベースがフロアパネル上部からの荷重に対して強い構造となり、耐荷重性能を一層向上させることができる。
【００３２】
また請求項５記載の発明は、請求項１又は請求項４記載の効果に加えて、パネル受け部の鋼板ベースと樹脂カバーとに、鋼板ベースに対する樹脂カバーの回転を止めるための凹凸嵌合部を設けてなるので、凹凸嵌合部によって樹脂カバーと鋼板ベースとを互いに動かないようにして容易に組み立てることができる。
【図面の簡単な説明】
【図１】本発明の実施形態の支持具の一例を示し、（ａ）は正面図、（ｂ）は図２（ａ）のＣ−Ｃ線断面図である。
【図２】（ａ）は同上の支持具の平面図、（ｂ）は側面図である。
【図３】同上の支持具の底面図である。
【図４】（ａ）は同上のフロアパネルの底面図、（ｂ）は（ａ）のＡ−Ａ線断面図である。
【図５】同上の支持具のパネル受け部に４枚のフロアパネルの各角部を載置した状態を説明する平面図である。
【図６】同上の支持具にフロアパネルの角部を載置した状態を説明する断面図である。
【図７】（ａ）は同上の樹脂カバーと鋼板ベースの凹凸嵌合部の他例を説明する底面図、（ｂ）は（ａ）の樹脂カバーのＢ−Ｂ線断面図、（ｃ）は（ａ）の鋼板ベースのＢ−Ｂ線断面図である。
【図８】従来例の支持具を示し、（ａ）は平面図、（ｂ）は一部破断した側面図、（ｃ）は斜視図である。
【図９】従来例の支持具にフロアパネルを支持した状態を説明する側面断面図である。
【符号の説明】
１  フロアパネル
１ａ  フロアパネルの角部
２  天板
３  底板
３ａ  底板の角部
４  取付ベース
５  軸部
６  パネル受け部
７  支持具
８  嵌合突部
９  嵌合孔
１０  開口部
１１  誘導傾斜部
１２  鋼板ベース
１２ａ  鋼板ベースの中心部分
１３  樹脂カバー
３５  凹凸嵌合部
【図１】
0004237925.tif 000002
【図２】
0004237925.tif 000003
【図３】
0004237925.tif 000004
【図４】
0004237925.tif 000005
【図５】
0004237925.tif 000006
【図６】
0004237925.tif 000007
【図７】
0004237925.tif 000008
【図８】
0004237925.tif 000009
【図９】
0004237925.tif 000010